(57)【要約】  対応情報記憶部３２は、ｅＮＢ２０と、ＳＧＷ−Ｃ６０と、ＳＧＷ−Ｕ７０と、を対応付けた対応情報を予め取得し、接続制御部３１は、ｅＮＢ２０からハンドオーバ要求を受け付けて、変更後のｅＮＢ２０と変更前のｅＮＢ２０とを特定する。接続変更部３３は、上記対応情報を参照して、変更後のｅＮＢ２０に対応付けられたＳＧＷ−Ｃ６０と、ＳＧＷ−Ｕ７０とを特定し、変更前のｅＮＢ２０に対応付けられたＳＧＷ−Ｃ６０と、ＳＧＷ−Ｕ７０とを特定する。接続変更部３３は、特定した結果に基づいてＳＧＷ−Ｃ６０の変更有無およびＳＧＷ−Ｕ７０の変更有無を判断し、判断結果に基づいて少なくともＳＧＷ−Ｃ６０およびＳＧＷ−Ｕ７０の一方の変更要求を制御する。
2017141648.tif 000002
【特許請求の範囲】
【請求項１】
端末と複数の基地局と複数のサービングゲートウェイと通信制御装置とを含む通信システムにおいて、前記端末と接続させるサービングゲートウェイを変更するゲートウェイ変更方法であって、
前記基地局と、前記端末が利用する通信サービスのための制御信号を伝送する経路である制御プレーンを用いて当該制御信号を送受信する第１サービングゲートウェイと、前記通信サービスのためのユーザ信号を伝送する経路であるユーザプレーンを用いて当該ユーザ信号を送受信する第２サービングゲートウェイと、を対応付けた対応情報を取得する取得ステップと、
ハンドオーバ要求を受け付けて、当該ハンドオーバ要求による変更後の基地局と、変更前の基地局とを特定する要求受付ステップと、
前記取得ステップにより取得された対応情報を参照して、前記要求受付ステップにより特定された変更後の基地局に対応付けられた第１サービングゲートウェイおよび第２サービングゲートウェイ、並びに、前記要求受付ステップにより特定された変更前の基地局に対応付けられた第１サービングゲートウェイおよび第２サービングゲートウェイを特定し、当該特定した結果に基づいて第１サービングゲートウェイの変更有無および第２サービングゲートウェイの変更有無を判断し、当該判断結果に基づいて少なくとも第１サービングゲートウェイおよび第２サービングゲートウェイの一方の変更要求を制御するゲートウェイ変更ステップと、を含むゲートウェイ変更方法。
【請求項２】
前記ゲートウェイ変更ステップでは、前記判断結果により、前記第１サービングゲートウェイが変更されず、前記第２サービングゲートウェイが変更されている場合、当該第２サービングゲートウェイのみ変更要求をする、請求項１に記載のゲートウェイ変更方法。
【請求項３】
前記ゲートウェイ変更ステップでは、変更要求対象の第２サービングゲートウェイの接続先を示す接続先情報をさらに取得し、当該接続先情報を送信すると共に第２サービングゲートウェイの変更要求をする、請求項１又は２に記載のゲートウェイ変更方法。
【発明の詳細な説明】
【技術分野】
【０００１】
本発明は、ゲートウェイ変更方法に関する。
【背景技術】
【０００２】
従来、Ａｔｔａｃｈ要求したＵＥ（User  Equipment）の端末タイプに基づいてＭＭＥ（Mobility  Management  Entity）を選択し、選択されたＭＭＥがＳＧＷ（Serving  Gateway）の負荷情報に基づいてＳＧＷを選択することが、非特許文献１に記載されている。また、ハンドオーバした場合に、ＳＧＷを変更することも非特許文献１に記載されている。
【先行技術文献】
【非特許文献】
【０００３】
【非特許文献１】３ＧＰＰ  ＴＳ  ２３．４０１
【発明の概要】
【発明が解決しようとする課題】
【０００４】
ところで、制御プレーン（C-Plane）およびユーザプレーン（U-Plane）のそれぞれに対応するＳＧＷを別々に選択する場合、ハンドオーバが発生する毎に双方のＳＧＷを変更すると、当該変更による処理負荷がかかってしまうことがある。よって、ハンドオーバが発生した場合に、双方のＳＧＷを変更する必要があるか否かを判断することが望まれる。【０００５】
そこで、本発明は、上記問題点を解決するために、ハンドオーバが発生した場合に、制御プレーンおよびユーザプレーンのそれぞれに対応するＳＧＷの変更処理の要否を適切に判断することができるゲートウェイ変更方法を提供することを目的とする。
【課題を解決するための手段】
【０００６】
上述の課題を解決するために、本発明の一実施形態に係るゲートウェイ変更方法は、端末と複数の基地局と複数のサービングゲートウェイと通信制御装置とを含む通信システムにおいて、端末と接続させるサービングゲートウェイを変更するゲートウェイ変更方法であって、基地局と、端末が利用する通信サービスのための制御信号を伝送する経路である制御プレーンを用いて当該制御信号を送受信する第１サービングゲートウェイと、通信サービスのためのユーザ信号を伝送する経路であるユーザプレーンを用いて当該ユーザ信号を送受信する第２サービングゲートウェイと、を対応付けた対応情報を取得する取得ステップと、ハンドオーバ要求を受け付けて、当該ハンドオーバ要求による変更後の基地局と、変更前の基地局とを特定する要求受付ステップと、取得ステップにより取得された対応情報を参照して、要求受付ステップにより特定された変更後の基地局に対応付けられた第１サービングゲートウェイおよび第２サービングゲートウェイ、並びに、要求受付ステップにより特定された変更前の基地局に対応付けられた第１サービングゲートウェイおよび第２サービングゲートウェイを特定し、当該特定した結果に基づいて第１サービングゲートウェイの変更有無および第２サービングゲートウェイの変更有無を判断し、当該判断結果に基づいて少なくとも第１サービングゲートウェイおよび第２サービングゲートウェイの一方の変更要求を制御するゲートウェイ変更ステップと、を含む。【０００７】
この発明によれば、要求受付ステップにより特定された変更後の基地局に対応付けられた第１サービングゲートウェイおよび第２サービングゲートウェイ、並びに、前記要求受付ステップにより特定された変更前の基地局に対応付けられた第１サービングゲートウェイおよび第２サービングゲートウェイを特定して、少なくとも第１サービングゲートウェイおよび第２サービングゲートウェイの一方の変更要求を制御するので、基地局の変更に応じて画一的に第１サービングゲートウェイおよび第２サービングゲートウェイを変更する場合と比較して、制御プレーンおよびユーザプレーンのそれぞれに対応するサービングゲートウェイの変更処理の要否を適切に判断することができる。【０００８】
また、本発明の一実施形態に係るゲートウェイ変更方法において、ゲートウェイ変更ステップでは、判断結果により、第１サービングゲートウェイが変更されず、第２サービングゲートウェイが変更されている場合、当該第２サービングゲートウェイのみ変更要求をするようにしてもよい。この場合、変更すべきサービングゲートウェイのみ変更処理をするので、適切に変更要求を制御することができる。【０００９】
また、本発明の一実施形態に係るゲートウェイ変更方法において、ゲートウェイ変更ステップでは、変更要求対象の第２サービングゲートウェイの接続先を示す接続先情報をさらに取得し、当該接続先情報を送信すると共に第２サービングゲートウェイの変更要求をしてもよい。この場合、予め第２サービングゲートウェイの接続先を取得し、変更要求の際に当該接続先を送信するので、変更要求先で接続先を取得する処理を省略することができる。
【発明の効果】
【００１０】
本発明によれば、ハンドオーバが発生した場合に、制御プレーンおよびユーザプレーンのそれぞれに対応するＳＧＷの変更処理の要否を適切に判断することができる。
【図面の簡単な説明】
【００１１】
【図１】本発明の実施形態に係る通信システムのシステム構成を示す図である。
【図２】本発明の実施形態に係る通信システムの一部の装置の機能ブロックを示す図である。
【図３】通信システムのハードウェア構成を説明する図である。
【図４】対応情報のデータ構造を示す図である。
【図５】ハンドオーバに応じてＳＧＷ−Ｕ７０を変更させる処理を示すシーケンス図である。
【図６】Data  forwarding処理を示すシーケンス図である。
【発明を実施するための形態】
【００１２】
以下、添付図面を参照して、本発明を実施するための形態を詳細に説明する。なお、図面の説明においては同一要素には同一符号を付し、重複する説明を省略する。
【００１３】
図１は、本発明の一実施形態の通信システム１のシステム構成図である。この通信システム１は、ＵＥ１０、ｅＮＢ２０（ｅＮＢ２０Ａ〜ｅＮＢ２０Ｆ）、ＭＭＥ（Mobility  Management  Entity）３０（通信制御装置）、ＨＳＳ４０、ＤＮＳ５０、第１サービングゲートウェイであるＳＧＷ−Ｃ６０、第２サービングゲートウェイであるＳＧＷ−Ｕ７０（ＳＧＷ−Ｕ７０Ａ、ＳＧＷ−Ｕ７０Ｂ）、ＰＧＷ−Ｃ８０、およびＰＧＷ−Ｕ９０を含んで構成されている。なお、ｅＮＢ２０Ａ〜ｅＮＢ２０Ｆには、それぞれ識別子が設定されている。ｅＮＢ２０Ａの識別子は、「ｅＮＢ１」であり、ｅＮＢ２０Ｂの識別子は、「ｅＮＢ２」であり、ｅＮＢ２０Ｃの識別子は、「ｅＮＢ３」であり、ｅＮＢ２０Ｄの識別子は、「ｅＮＢ４」であり、ｅＮＢ２０Ｅの識別子は、「ｅＮＢ５」であり、ｅＮＢ２０Ｆの識別子は、「ｅＮＢ６」である。また、ＳＧＷ−Ｃ６０にも識別子が設定されている。図中のＳＧＷ−Ｃ６０の識別子は、「ＳＧＷ−Ｃ１」である。また、ＳＧＷ−Ｕ７０Ａ、ＳＧＷ−Ｕ７０Ｂにも識別子が設定されている。ＳＧＷ−Ｕ７０Ａの識別子は、「ＳＧＷ−Ｕ  １Ａ」であり、ＳＧＷ−Ｕ７０Ｂの識別子は、「ＳＧＷ−Ｕ  １Ｂ」である。
【００１４】
スマートフォン、タブレット端末を含むＵＥ（User  Equipment）１０（端末）は、この通信システム１と通信接続することにより通信を行うことができる。また、ＵＥ１０は、自装置が使用可能な複数の通信サービスを示す情報を記憶しており、当該情報をｅＮＢ２０へ送信する。通信サービスとは、通信を用いたサービスであり、動画配信、車車間通信等のサービスである。それぞれのサービスにおいて、要求されるネットワーク要件が異なる。ＵＥ１０は、通信サービスを示す情報として、上記ネットワーク要件を示す情報であるサービスタイプを記憶している。
【００１５】
ｅＮＢ２０は、ＭＭＥ３０に接続された無線基地局であるとともに、無線アクセス制御機能を有した装置である。ｅＮＢ２０は、ＵＥ１０から発信があった際の受付制御機能、および他のＵＥ１０からＵＥ１０に着信があった際にＵＥ１０を呼び出すページング機能を基本機能として有している。また、ｅＮＢ２０は、ＭＭＥ３０のアドレスを記憶しており、ＵＥ１０からハンドオーバ要求を受け付けた場合に、当該アドレス宛にハンドオーバ要求をする。
【００１６】
ＭＭＥ３０は、ＵＥ１０からアタッチ要求（位置登録要求）があった際に、ｅＮＢ２０を介してＵＥ１０と接続される装置である。ここで、ＭＭＥは、ＬＴＥ（Long  Term  Evolution）ネットワークに在圏するＵＥ１０の位置管理、認証制御、およびＳＧＷ８０とｅＮＢ２０との間のユーザデータの通信経路の設定処理を行う部分である。
【００１７】
また、ＭＭＥ３０は、後述する処理により決定したＳＧＷ−Ｃ６０に対して制御データの経路設定処理を行う。また、ＭＭＥ３０は、ｅＮＢ２０から取得したサービスタイプに対応するＳＧＷ−Ｃ６０のアドレスをＤＮＳ５０から取得し、取得したアドレス宛てに接続する。
【００１８】
ＤＮＳ５０は、ネットワーク上でドメイン名、ホスト名およびＩＰアドレスの対応関係を管理するコンピュータである。さらにＤＮＳ５０は、サービスタイプと、ＳＧＷ−Ｃ６０又はＳＧＷ−Ｕ７０の識別子と、ＳＧＷ−Ｃ６０又はＳＧＷ−Ｕ７０のアドレス（接続先情報）とを対応付けた情報を記憶している。
【００１９】
ＤＮＳ５０は、ＭＭＥ３０からＳＧＷ−Ｃ６０又はＳＧＷ−Ｕ７０の識別子を受信すると共に、アドレスの送信要求を受け付けると、受信した識別子に対応するアドレスを上記情報から特定し、特定したアドレスをＭＭＥ３０へ送信する。
【００２０】
ＳＧＷ−Ｃ６０は、ＬＴＥを収容する在圏パケット交換機で、ＰＧＷ（Packet  data  network  Gate  Way）との間で、ＵＥ１０が利用する通信サービス提供に利用される制御信号を伝送する経路である制御プレーンを用いて当該制御信号を送受信する。ＳＧＷ−Ｃ６０は、複数の通信サービスの要件に対応して複数設けられてもよい。
【００２１】
ＳＧＷ−Ｕ７０は、ＬＴＥを収容する在圏パケット交換機で、ＰＧＷとの間で、ＵＥ１０が利用する通信サービス提供に利用されるユーザ信号を伝送する経路であるユーザプレーンを用いて当該ユーザ信号を送受信する。ＳＧＷ−Ｕ７０は、複数の通信サービスの要件に対応して複数設けられてもよい。
【００２２】
ＰＧＷ−Ｃ８０は、ＰＤＮ（Packet  data  network）との接合点であり、ＩＰアドレスの割当て、ＳＧＷ−Ｃ６０へのパケット転送などを行うゲートウェイである。すなわち、ＰＧＷ−Ｃ８０は、ＳＧＷ−Ｃ６０と接続しＳＧＷ−Ｃ６０と制御信号を送受信する。ＰＧＷ−Ｃ８０は、複数の通信サービスの要件に対応して複数設けられてもよい。
【００２３】
ＰＧＷ−Ｕ９０は、ＰＤＮとの接合点であり、ＩＰアドレスの割当て、ＳＧＷ−Ｕ７０へのパケット転送などを行うゲートウェイである。すなわち、ＰＧＷ−Ｕ９０は、ＳＧＷ−Ｕ７０と接続しＳＧＷ−Ｃ７０とユーザ信号を送受信する。ＰＧＷ−Ｕ９０は、複数の通信サービスの要件に対応して複数設けられてもよい。
【００２４】
通信システム１では、複数のｅＮＢ２０が単一のＳＧＷ−Ｕ７０に紐付き、複数のＳＧＷ−Ｕ７０が一つのＳＧＷ−Ｃ６０に紐づく。また、同一のサービスエリア（ＳＧＷ−Ｕ７０が管理するエリア）に所属するｅＮＢ２０が、異なるＳＧＷ−Ｕ７０に繋がる場合がある。
【００２５】
次に、図２を参照しながら、通信システム１において特徴を有するＭＭＥ３０の構成要素について説明する。
【００２６】
図２に示すように、ＭＭＥ３０は、接続制御部３１、対応情報記憶部３２、および接続変更部３３を含んで構成される。
【００２７】
また、物理的には、ＭＭＥ３０は、それぞれ図３に示すように、一又は複数のＣＰＵ１０１、主記憶装置であるＲＡＭ１０２およびＲＯＭ１０３、データ送受信デバイスである通信モジュール１０４（Transmitter  or  Receiver）、ハードディスク、フラッシュメモリ等に例示される補助記憶装置１０５（Memory）、入力デバイスであるタッチパネルおよびキーボード等に例示される入力装置１０６、ディスプレイ等の出力装置１０７などを含むコンピュータシステムとして構成されている。ＭＭＥ３０では、図３に示すＣＰＵ１０１、ＲＡＭ１０２等のハードウェア上に所定のコンピュータソフトウェアを読み込ませることにより、ＣＰＵ１０１の制御のもとで通信モジュール１０４、入力装置１０６、出力装置１０７を動作させるとともに、ＲＡＭ１０２および補助記憶装置１０５におけるデータの読み出しおよび書き込みを行うことで、各装置における一連の機能が実現される。
【００２８】
なお、ＣＰＵ１０１などのプロセッサ（Processor）が図２における各機能を実行することに代えて、その機能全部または一部を専用の集積回路（ＩＣ：integrated  circuit）を構築することにより各機能を実行するように構成してもよい。例えば、画像処理および通信制御を行なうための専用の集積回路を構築することにより上記機能を実行するようにしてもよい。
【００２９】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００３０】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【００３１】
接続制御部３１は、各種装置との接続制御をする部分である。具体的には、接続制御部３１は、ｅＮＢ２０からハンドオーバ要求を受け付けて、当該ハンドオーバ要求による変更後のｅＮＢ２０と、変更前のｅＮＢ２０とを特定する。また、接続制御部３１は、ｅＮＢ２０へハンドオーバ要求に対するレスポンスを行う。
【００３２】
接続制御部３１は、ｅＮＢ２０からハンドオーバ要求を受け付けると共に、ハンドオーバ要求による変更前のｅＮＢ２０の識別子と、ハンドオーバによる変更後のｅＮＢ２０の識別子とを取得することにより、ハンドオーバ要求による変更後のｅＮＢ２０と、変更前のｅＮＢ２０とを特定する。
【００３３】
接続制御部３１は、特定した変更後のｅＮＢ２０と、変更前のｅＮＢ２０とを接続変更部３３へ送出する。
【００３４】
対応情報記憶部３２は、ｅＮＢ２０と、ＵＥ１０が利用する通信サービスのための制御信号を伝送する経路である制御プレーンを用いて当該制御信号を送受信するＳＧＷ−Ｃ６０と、通信サービスのためのユーザ信号を伝送する経路であるユーザプレーンを用いて当該ユーザ信号を送受信するＳＧＷ−Ｕ７０と、を対応付けた対応情報を予め取得し、当該対応情報を記憶する部分である。
【００３５】
ここで、図４に対応情報の例を示す。図４に示すように、ＳＧＷ−Ｃ６０の識別子を示す「ＳＧＷ−Ｃ」と、ＳＧＷ−Ｕ７０の識別子を示す「ＳＧＷ−Ｕ」と、ｅＮＢ２０の識別子を示す「ｅＮＢ」を対応付けて記憶している。
【００３６】
接続変更部３３は、ハンドオーバによるｅＮＢ２０の変更により、ＳＧＷ−Ｃ６０およびＳＧＷ−Ｕ７０を変更する必要があるか否かを判断し、この判断に基づいてＳＧＷ−Ｃ６０およびＳＧＷ−Ｕ７０の変更要求を制御する部分である。
【００３７】
接続変更部３３は、対応情報記憶部３２に記憶された対応情報を参照して、変更後のｅＮＢ２０に対応付けられたＳＧＷ−Ｃ６０およびＳＧＷ−Ｕ７０、並びに、変更前のｅＮＢ２０に対応付けられたＳＧＷ−Ｃ６０およびＳＧＷ−Ｕ７０を特定する。
【００３８】
続いて、接続変更部３３は、変更後のｅＮＢ２０に対応付けられたＳＧＷ−Ｃ６０と、変更前のｅＮＢ２０に対応付けられたＳＧＷ−Ｃ６０とを比較し、ＳＧＷ−Ｃ６０の変更があるか否かを判断する。また、接続変更部３３は、変更後のｅＮＢ２０に対応付けられたＳＧＷ−Ｕ７０と、変更前のｅＮＢ２０に対応付けられたＳＧＷ−Ｕ７０とを比較し、ＳＧＷ−Ｕ７０の変更があるか否かを判断する。
【００３９】
続いて、接続変更部３３は、上記の判断結果に基づいて、少なくともＳＧＷ−Ｃ６０およびＳＧＷ−Ｕ７０の一方の変更要求を制御する。具体的に、接続変更部３３は、ＳＧＷ−Ｃ６０の変更があり、ＳＧＷ−Ｕ７０の変更がある場合、変更後のＳＧＷ−Ｃ６０の識別子および変更後のＳＧＷ−Ｕ７０の識別子をＤＮＳ５０へ送信すると共に、変更後のＳＧＷ−Ｃ６０の識別子に対応するアドレスおよび変更後のＳＧＷ−Ｕ７０の識別子に対応するアドレスを取得し、変更後のＳＧＷ−Ｃ６０へ接続要求すると共に、変更後のＳＧＷ−Ｕ７０のアドレスを通知し、ＳＧＷ−Ｕ７０への接続要求をする。
【００４０】
接続変更部３３は、ＳＧＷ−Ｃ６０の変更が無く、ＳＧＷ−Ｕ７０の変更がある場合、変更後のＳＧＷ−Ｕ７０の識別子をＤＮＳ５０へ送信し、変更後のＳＧＷ−Ｕ７０の識別子に対応するアドレスを取得する。そして、接続変更部３３は、ＳＧＷ−Ｃ６０へ変更後のＳＧＷ−Ｕ７０のアドレスを通知すると共に、ＳＧＷ−Ｕ７０への接続要求をする。このように、接続変更部３３は、上記の判断結果により、ＳＧＷ−Ｃ６０が変更されず、ＳＧＷ−Ｕ７０が変更されている場合、当該ＳＧＷ−Ｕ７０のみ変更要求をする。また、接続変更部３３は、ＳＧＷ−Ｕ７０のアドレスをＤＮＳ５０から取得し、変更後のＳＧＷ−Ｕ７０のアドレスを通知すると共に、ＳＧＷ−Ｕ７０への接続要求をする。
【００４１】
また、接続変更部３３は、ＳＧＷ−Ｃ６０の変更が無く、ＳＧＷ−Ｕ７０の変更も無い場合、ＳＧＷ−Ｃ６０へ接続要求をしない。
【００４２】
また、接続変更部３３は、ＳＧＷ−Ｃ６０へベアラ変更要求をしたり、ＳＧＷ−Ｃ６０からの当該ベアラ変更要求に対するレスポンスを受信したりするなど、ＳＧＷ−Ｃ６０と互いに通信する。
【００４３】
次に、図５および図６を用いて、上記の通信システム１におけるゲートウェイ変更方法を説明する。図５は、ハンドオーバに応じてＳＧＷ−Ｕ７０を変更させる処理全体を示すシーケンス図であり、図６は、図５に示した処理の内、ステップＳ１２のData  forwarding（データ転送）処理を示すシーケンス図である。
【００４４】
まず、図５を参照しながら、ＳＧＷ−Ｕ７０を変更させる処理を説明する。前提として、ハンドオーバによる変更前のｅＮＢ２０をSource  eNB（例えば、ｅＮＢ２０Ｃ）とする。また、変更後のｅＮＢ２０をTarget  eNB（例えば、ｅＮＢ２０Ｄ）とする。当該ハンドオーバによる変更前のｅＮＢ２０に対応するＳＧＷ−Ｕ７０の識別子が「ＳＧＷ−Ｕ  １Ａ」であり、当該ハンドオーバによる変更後のｅＮＢ２０に対応するＳＧＷ−Ｕ７０の識別子が「ＳＧＷ−Ｕ  １Ｂ」である。また、ＭＭＥ３０は、予め対応情報記憶部３２に対応情報を記憶している（取得ステップ）。
【００４５】
まず、ＵＥ１０は、定期的に電波強度等のパラメタを測定し、最も品質の良いｅＮＢ２０に所属する。変更前のｅＮＢ２０（Source  eNB）よりも良いｅＮＢ２０（Target  eNB）がある場合、ＵＥ１０は、変更前のｅＮＢ２０に対して、変更後のｅＮＢ２０（Target  eNB）の情報（例えば、変更後のｅＮＢ２０の識別子）とハンドオーバリクエストをする（ステップＳ１：Handover  preparation）。
【００４６】
変更後のｅＮＢ２０が、変更後のｅＮＢ２０及び変更前のｅＮＢ２０の情報をＭＭＥ３０へ送ると共に、ハンドオーバリクエストをし、接続制御部３１は、ｅＮＢ２０からハンドオーバ要求を受け付けて、当該ハンドオーバ要求による変更後のｅＮＢ２０と、変更前のｅＮＢ２０とを特定する（ステップS２：HO  request：要求受付ステップ）。
【００４７】
接続変更部３３は、ｅＮＢ２０の変更により、ＳＧＷ−Ｃ６０およびＳＧＷ−Ｕ７０を変更する必要があるか否かを判断する。接続変更部３３は、当該判断の結果、ＳＧＷ−Ｕ７０のみ変更すると判断する（ステップＳ３）。続いて、接続変更部３３は、変更対象のＳＧＷ−Ｕ７０の識別子をＤＮＳ５０へ送信し、ＳＧＷ−Ｕ７０のアドレスを取得する（ステップＳ４：DNS  Query  Request/Response：ゲートウェイ変更ステップ）。
【００４８】
接続変更部３３は、ＳＧＷ−Ｃ６０に対して変更対象のＳＧＷ−Ｕ７０（SGW-U1B）とセッションを確立するように要求する（ステップＳ５：Create  U-plane  session  request：ゲートウェイ変更ステップ）。ＳＧＷ−Ｃ６０は、これに応じて、ＳＧＷ−Ｕ７０とｅＮＢ２０の間のトンネルを確立するためのＴＥＩＤを作成する（ステップＳ６：Allocate  SGW-U  TEID  for  S1  int）。続いて、ＳＧＷ−Ｃ６０は、変更対象のＳＧＷ−Ｕ７０のＴＥＩＤと，接続すべき変更後のｅＮＢ２０のアドレスを変更対象のＳＧＷ−Ｕ７０に送る（ステップS７：Create  U-Plane  Session  request）。ＳＧＷ−Ｃ６０は、変更対象のＳＧＷ−Ｕ７０からセッションレスポンスを受け取る（ステップＳ８：Create  U-plane  session  response）。また、ＳＧＷ−Ｃ６０は、ＭＭＥ３０を介して、ｅＮＢ２０へSGW-U1BのTEIDと，接続すべき変更対象のＳＧＷ−Ｕ７０のアドレスを変更後のｅＮＢ２０に送る（ステップＳ９、Ｓ１０）。
【００４９】
ｅＮＢ２０は、変更後のｅＮＢ２０と変更対象のＳＧＷ−Ｕ７０との間にトンネルを確立する（ステップＳ１１）。この後、ＵＥ１０とＳＧＷ−Ｕ７０間でデータ転送をする（ステップＳ１２）。続いて、変更後のｅＮＢ２０〜変更対象のＳＧＷ−Ｕ７０間のトンネルを編集し（ステップＳ１３）、変更対象のＳＧＷ−Ｕ７０〜ＰＧＷ−Ｕ９０間のトンネルを確立・編集する（ステップＳ１４）。続いて、ＰＧＷ−Ｕ９０によって、Ｕ−Ｐｌａｎｅデータをダウンリンクし（ステップＳ１５）、変更前のＳＧＷ−Ｕ７０のＵ−Ｐｌａｎｅベアラを削除する（ステップＳ１６）。
【００５０】
続いて、図６を用いて、図５のステップＳ１２のデータ転送処理（Data  forwarding処理）について説明する。まず、ＭＭＥ３０が、変更前のＳＧＷ−Ｕ７０と変更対象のＳＧＷ−Ｕ７０間のトンネル確立依頼をする（ステップＳ２１  Create  U-Plane  indirect  data  forwarding  tunnel  request）。続いて、ＳＧＷ−Ｃ６０は、トンネル確立のためのＴＥＩＤを作成する（ステップＳ２２）。ＳＧＷ−Ｃ６０は、ＳＧＷ−Ｕ７０へＴＥＩＤを送信する（ステップＳ２３：Create  U-plane  indirect  data  forwarding  tunnel  request）。また、ＳＧＷ−Ｕ７０は、当該ＴＥＩＤの受取通知をする（ステップＳ２４：Create  U-plane  indirect  data  forwarding  tunnel  response）。ＳＧＷ−Ｃ６０は、ＭＭＥ３０に対して、変更対象のＳＧＷ−Ｕ７０の準備が整ったことを通知する（ステップＳ２５：Create  U-plane  indirect  data  forwarding  tunnel  response）。続いて、変更前のＳＧＷ−Ｕ７０にもＴＥＩＤを割り振りトンネル確立準備をする（ステップＳ２６）。続いて、ＭＭＥ３０は、ｅＮＢ２０に対して、変更前のｅＮＢ２０と変更前のＳＧＷ−Ｕ７０間にトンネルを確立する要求をする（ステップＳ２７）。そして、ｅＮＢ２０は、ＵＥ１０との間のハンドオーバを行う（ステップＳ２８）。続いて、変更前のｅＮＢ２０から変更後のｅＮＢ２０へデータ転送をする（ステップＳ２９）。ＵＥ１０は、変更後のｅＮＢ２０へハンドオーバ確認通知をする（ステップＳ３０）。続いて、変更後のｅＮＢ２０は、トンネルを使って転送された変更前のｅＮＢ２０のデータを端末へ転送する（ステップＳ３１）。ＵＥ１０は、ＳＧＷ−Ｕ７０に対して、データを転送する（ステップＳ３２）。続いて、ＭＭＥ３０に対して、ＵＥ１０とｅＮＢ２０との間のハンドオーバが終了したことを通知する（ステップＳ３３）。
【００５１】
上述のように、対応情報記憶部３２は、ｅＮＢ２０と、ＳＧＷ−Ｃ６０と、ＳＧＷ−Ｕ７０と、を対応付けた対応情報を予め取得し、接続制御部３１は、ｅＮＢ２０からハンドオーバ要求を受け付けて、変更後のｅＮＢ２０と変更前のｅＮＢ２０とを特定する。接続変更部３３は、上記対応情報を参照して、変更後のｅＮＢ２０に対応付けられたＳＧＷ−Ｃ６０と、ＳＧＷ−Ｕ７０とを特定し、さらに変更前のｅＮＢ２０に対応付けられたＳＧＷ−Ｃ６０と、ＳＧＷ−Ｕ７０とを特定する。また、接続変更部３３は、特定した結果に基づいてＳＧＷ−Ｃ６０の変更有無およびＳＧＷ−Ｕ７０の変更有無を判断し、当該判断結果に基づいてＳＧＷ−Ｃ６０およびＳＧＷ−Ｕ７０の一方の変更要求を制御する。
【００５２】
この場合、ＭＭＥ３０は、ｅＮＢ２０の変更に応じて画一的にＳＧＷ−Ｃ６０およびＳＧＷ−Ｕ７０を変更する場合と比較して、変更処理の要否を適切に判断することができる。
【００５３】
また、接続変更部３３は、上記判断結果により、ＳＧＷ−Ｃ６０が変更されず、ＳＧＷ−Ｕ７０が変更されている場合、当該ＳＧＷ−Ｕ７０のみ変更要求をする。この場合、ＭＭＥ３０は、変更すべきＳＧＷ−Ｕ７０のみ変更処理をするので、適切に変更要求を制御することができる。
【００５４】
また、接続変更部３３は、変更要求対象のＳＧＷ−Ｕ７０のアドレスをさらに取得し、当該アドレスを送信すると共にＳＧＷ−Ｕ７０の変更要求をする。この場合、予めＳＧＷ−Ｕ７０のアドレスを取得し、変更要求の際に当該アドレスを送信するので、ＳＧＷ−Ｃ６０でアドレスをＤＮＳ５０から取得する処理を省略することができる。
【００５５】
上述の実施形態では、ＭＭＥ３０が、ＤＮＳ５０から変更後のＳＧＷ−Ｕ７０のアドレスを取得する場合について述べたが、ＳＧＷ−Ｃ６０がＤＮＳ５０から更後のＳＧＷ−Ｕ７０のアドレスを取得するようにしてもよい。
【００５６】
なお、本明細書で説明した「情報」は、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００５７】
本明細書で使用する「判断」という用語は、多種多様な動作を包含する。「判断」は、例えば、計算(calculating)、算出(computing)、処理(processing)、導出(deriving)、調査(investigating)、探索(looking  up)（例えば、テーブル、データベースまたは別のデータ構造での探索）、確認(ascertaining)などを含み得る。また、「判断」は、受信(receiving)（例えば、情報を受信すること）、アクセス(accessing)（例えば、メモリ中のデータにアクセスすること）などを含み得る。また、「判断」は、解決(resolving)、選択(selecting)、選定(choosing)、確立(establishing)、比較(comparing)などを含み得る。
【００５８】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００５９】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００６０】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００６１】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【００６２】
本明細書で使用する「第１」、「第２」などの呼称を使用した要素へのいかなる参照も、それらの要素の量または順序を全般的に限定するものではない。むしろ、これらの呼称は、２つ以上の要素間を区別する便利な方法として本明細書で使用され得る。したがって、第１および第２の要素への参照は、２つの要素のみがそこで採用され得ること、または何らかの形で第１の要素が第２の要素に先行しなければならないことを意味しない。
【００６３】
なお、本明細書で説明した用語及び／又は本明細書の理解に必要な用語については、同一の又は類似する意味を有する用語と置き換えてもよい。
【００６４】
本明細書で使用する「システム」および「ネットワーク」という用語は、互換的に使用される。
【００６５】
また、本明細書で説明した情報、パラメータなどは、絶対値で表されてもよいし、所定の値からの相対値で表されてもよいし、対応する別の情報で表されてもよい。例えば、無線リソースはインデックスで指示されるものであってもよい。
【００６６】
「含む(ｉｎｃｌｕｄｅ)」、「含んでいる（ｉｎｃｌｕｄｉｎｇ）」、およびそれらの変形が、本明細書あるいは特許請求の範囲で使用されている限り、これら用語は、用語「備える（ｃｏｍｐｒｉｓｅ）」と同様に、包括的であることが意図される。さらに、本明細書あるいは特許請求の範囲において使用されている用語「または（or）」は、排他的論理和ではないことが意図される。
【００６７】
また、本明細書で説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【００６８】
入出力された情報等は特定の場所（例えば、メモリ）に保存されてもよいし、管理テーブルで管理してもよい。入出力される情報等は、上書き、更新、または追記され得る。出力された情報等は削除されてもよい。入力された情報等は削除されてもよい。入力された情報等は他の装置へ送信されてもよい。
【００６９】
本開示の全体において、明らかに単数であることを示しているものではない限り、単数および複数の両方のものを含むものとする。
【符号の説明】
【００７０】
１…通信システム、１０…ＵＥ（端末）、２０…ｅＮＢ（基地局）、３０…ＭＭＥ、３１…接続制御部、３２…対応情報記憶部、３３…接続変更部、３０…ＭＭＥ、４０…ＨＳＳ、５０…ＤＮＳ、６０…ＳＧＷ−Ｃ、７０…ＳＧＷ−Ｕ、８０…ＰＧＷ−Ｃ、９０…ＰＧＷ−Ｕ。
【図１】
2017141648.tif 000003
【図２】
2017141648.tif 000004
【図３】
2017141648.tif 000005
【図４】
2017141648.tif 000006
【図５】
2017141648.tif 000007
【図６】
2017141648.tif 000008
【国際調査報告】
2017141648.tif 000009
2017141648.tif 000010